(57)【特許請求の範囲】
【請求項１】
熱交換部と、この熱交換部に燃焼熱を供給する燃焼部と、この燃焼部への燃料供給量を調節する燃料制御弁と、上記熱交換部を通る給湯配管と、この給湯配管に設けられたフローセンサおよび水量制御弁と、上記燃料制御弁と水量制御弁を制御する制御手段とを備えた給湯装置において、
上記給湯配管が、台所への分岐路と、他の場所への分岐路とを有し、上記台所と他の場所には、それぞれ制御手段に設定温度情報を送るリモートコントローラが設置され、上記台所側のリモートコントローラは皿洗いモード指定手段を有しており、
上記制御手段は、給湯停止状態で皿洗いモード指定手段からの指定信号を受けた時には、皿洗いモード待機状態に入り、その後フローセンサで水流を検出時に皿洗いモードを実行し、この皿洗いモードでは予め決められた皿洗いに適した所定流量，所定温度の湯を吐出するよう上記水量制御弁と燃料制御弁とを制御し、
しかも、上記制御手段は、設定温度に基づく通常の給湯モード実行中に上記皿洗いモード指定信号を受けた時には、無条件でまたは所定の条件下で、皿洗いモードの実行を回避することを特徴とする給湯装置。
【請求項２】
上記制御手段は、通常の給湯モード実行中に皿洗いモード指定信号を受けながら皿洗いモードの実行を回避した場合には、給湯停止後に台所のリモートコントローラに皿洗いモード指定可能である旨の報知をさせることを特徴とする請求項１に記載の給湯装置。
【請求項３】
上記他の場所のリモートコントローラは優先権移動手段を備え、上記皿洗いモード実行中に、この優先権移動手段で上記他の場所のリモートコントローラへの優先権の移動が行われた時に、上記制御手段は、この皿洗いモードから通常の給湯モードに移行することを特徴とする請求項１または２に記載の給湯装置。
【請求項４】
上記制御手段は、上記皿洗いモード指定信号を受けた後、フローセンサでの水流検出がなされずに所定時間経過した時には、上記皿洗いモード待機状態を解除することを特徴とする請求項１〜３のいずれかに記載の給湯装置。
【請求項５】
熱交換部と、この熱交換部に燃焼熱を供給する燃焼部と、この燃焼部への燃料供給量を調節する燃料制御弁と、上記熱交換部を通る給湯配管と、この給湯配管に設けられた水量制御弁と、上記燃料制御弁と水量制御弁を制御する制御手段とを備えた給湯装置において、
上記給湯配管が台所へ導かれ、この台所には温度設定手段と皿洗いモード指定手段とを有するリモートコントローラが設置され、
上記制御手段は、この皿洗いモード指定手段による皿洗い指定状態で皿洗いモードを実行し、この皿洗いモードで、予め決められた皿洗いに適した所定流量，所定温度の出湯を実行するよう、上記水量制御弁と燃料制御弁とを制御し、皿洗い指定解除状態で上記温度設定手段で設定された温度に基づく通常の給湯モードを実行し、
しかも上記制御手段は、皿洗いモード実行中に、皿洗いモード指定手段から指定解除信号を受けた時には、給湯が停止されるまで、上記所定流量を維持しながら上記温度設定手段で設定された温度の湯を供給することを特徴とする給湯装置。
【請求項６】
熱交換部と、この熱交換部に燃焼熱を供給する燃焼部と、この燃焼部への燃料供給量を調節する燃料制御弁と、上記熱交換部を通る給湯配管と、この給湯配管に設けられた水量制御弁と、上記燃料制御弁と水量制御弁を制御する制御手段とを備えた給湯装置において、
上記給湯配管が台所へ導かれ、この台所には温度設定手段と皿洗いモード指定手段とを有するリモートコントローラが設置され、
上記制御手段は、この皿洗いモード指定手段による皿洗い指定状態で皿洗いモードを実行し、この皿洗いモードで、予め決められた皿洗いに適した所定流量，所定温度の出湯を実行するよう、上記水量制御弁と燃料制御弁とを制御し、皿洗い指定解除状態で上記温度設定手段で設定された温度に基づく通常の給湯モードを実行し、
しかも上記制御手段は、最低燃焼熱量を設定しており、上記皿洗いモード実行の際に、上記皿洗いに適した所定流量，所定温度に維持すると最低燃焼熱量を下回る場合には、最低燃焼熱量またはそれに近い燃焼熱量になるように上記燃料制御弁を制御しながら、上記水量制御弁を制御して上記所定流量を上回る流量にすることにより、上記所定温度を維持することを特徴とする給湯装置。
【請求項７】
熱交換部と、この熱交換部に燃焼熱を供給する燃焼部と、この燃焼部への燃料供給量を調節する燃料制御弁と、上記熱交換部を通る給湯配管と、この給湯配管に設けられたフローセンサおよび水量制御弁と、上記燃料制御弁と水量制御弁を制御する制御手段とを備えた給湯装置において、
上記給湯配管が、台所への分岐路と、他の場所への分岐路とを有し、当該他の場所への分岐路にはフローセンサが設けられ、上記台所と他の場所には、それぞれ制御手段に設定温度情報を送るリモートコントローラが設置され、上記台所側のリモートコントローラは皿洗いモード指定手段を有しており、
上記制御手段は、給湯停止状態で皿洗いモード指定手段からの指定信号を受けた時には、皿洗いモード待機状態に入り、その後フローセンサで水流を検出時に皿洗いモードを実行し、この皿洗いモードでは予め決められた皿洗いに適した所定流量，所定温度の湯を吐出するよう上記水量制御弁と燃料制御弁とを制御し、
しかも、上記制御手段は、設定温度に基づく通常の給湯モード実行中に上記皿洗いモード指定信号を受けた時には、上記フローセンサの検出信号に基づいて当該他の場所への出湯がなされているか否かを判断し、肯定判断の時には皿洗いモードの実行を回避し、否定判断の時には皿洗いモードを実行することを特徴とする給湯装置。
【請求項８】
熱交換部と、この熱交換部に燃焼熱を供給する燃焼部と、この燃焼部への燃料供給量を調節する燃料制御弁と、上記熱交換部を通る給湯配管と、この給湯配管に設けられたフローセンサおよび水量制御弁と、上記燃料制御弁と水量制御弁を制御する制御手段とを備えた給湯装置において、
上記給湯配管が、台所への分岐路と、他の場所への分岐路とを有し、上記台所と他の場所には、それぞれ制御手段に設定温度情報を送るリモートコントローラが設置され、上記台所側のリモートコントローラは皿洗いモード指定手段を有し、上記他の場所のリモートコントローラは優先権移動手段を有しており、
上記制御手段は、給湯停止状態で皿洗いモード指定手段からの指定信号を受けた時には、皿洗いモード待機状態に入り、その後フローセンサで水流を検出時に皿洗いモードを実行し、この皿洗いモードでは予め決められた皿洗いに適した所定流量，所定温度の湯を吐出するよう上記水量制御弁と燃料制御弁とを制御し、
しかも、上記制御手段は、設定温度に基づく通常の給湯モード実行中に上記皿洗いモード指定信号を受けた時には、制御の優先権が台所側のリモートコントローラにあるか上記他の場所のリモートコントローラにあるかを判断し、上記他の場所のリモートコントローラにある場合には皿洗いモードの実行を回避し、台所側のリモートコントローラにある場合には皿洗いモードを実行することを特徴とする給湯装置。
【発明の詳細な説明】
【０００１】
【発明の属する技術分野】
この発明は、皿洗いに適した給湯装置に関する。
【０００２】
【従来の技術】
最近のガス給湯装置は、ガス供給量を調節する比例弁と、出湯量を調節する水量制御弁とを備えており、制御手段により、リモートコントローラ（以下、リモコンと称す）で設定された温度の湯を得られるように、比例弁と水量制御弁とを制御している。
【０００３】
上記のガス給湯装置を用いて台所で皿洗いを行う場合には、手の荒れを防ぐために比較的低い温度で給湯を行い、また湯が皿等に当たって飛び散るのを防ぐために、給湯量を比較的小さくする必要がある。そのため、リモコンで温度設定をし、給湯栓で絞りを調節しているが、その作業が煩雑であった。
特開昭６１−２８２７５８号公報の装置は、複数のスイッチを有し、そのうちの一つである皿洗いスイッチを押すと、皿洗いに適した所定流量，所定温度の湯が得られるように水量制御弁と比例弁を制御するようになっている。
【０００４】
【発明が解決しようとする課題】
上記公報の装置では、スイッチ操作のみで皿洗いモードの指定とその解除がなされ、便利であるが、融通性がなかった。特に最近では、台所のみならず浴室等の他の場所にも兼用できるよう、最大燃焼熱量が上記公報の装置に比べて遥かに大きい給湯装置が用いられるようになっているが、このような大型の給湯装置に上記公報の技術を適用すると、例えば次のような不都合があった。
すなわち、浴室のシャワーを使って髪を洗っている時に、皿洗いモードが指定されると入浴者が困る。
また、皿洗いモードを実行している時にシャワー等を使おうとしても、出湯量が少なくシャワーにならない。
さらに、給水温度が高い夏場には非常に小さな燃焼熱量でも上記皿洗い流量で上記皿洗い温度の湯が得られ、時として燃焼を安定して行える最低燃焼熱量を下回ってしまう。この場合、燃焼を停止することになり、水しか供給できない状況となる。
【０００５】
【課題を解決するための手段】
請求項１の発明は、熱交換部と、この熱交換部に燃焼熱を供給する燃焼部と、この燃焼部への燃料供給量を調節する燃料制御弁と、上記熱交換部を通る給湯配管と、この給湯配管に設けられたフローセンサおよび水量制御弁と、上記燃料制御弁と水量制御弁を制御する制御手段とを備えた給湯装置において、上記給湯配管が、台所への分岐路と、他の場所への分岐路とを有し、上記台所と他の場所には、それぞれ制御手段に設定温度情報を送るリモートコントローラが設置され、上記台所側のリモートコントローラは皿洗いモード指定手段を有しており、上記制御手段は、給湯停止状態で皿洗いモード指定手段からの指定信号を受けた時には、皿洗いモード待機状態に入り、その後フローセンサで水流を検出時に皿洗いモードを実行し、この皿洗いモードでは予め決められた皿洗いに適した所定流量，所定温度の湯を吐出するよう上記水量制御弁と燃料制御弁とを制御し、しかも、上記制御手段は、設定温度に基づく通常の給湯モード実行中に上記皿洗いモード指定信号を受けた時には、無条件でまたは所定の条件下で、皿洗いモードの実行を回避することを特徴とする。
【０００６】
請求項２の発明は、請求項１に記載の給湯装置において、上記制御手段は、通常の給湯モード実行中に皿洗いモード指定信号を受けながら皿洗いモードの実行を回避した場合には、給湯停止後に台所のリモートコントローラに皿洗いモード指定可能である旨の報知をさせることを特徴とする。
請求項３の発明は、請求項１または２に記載の給湯装置において、上記他の場所のリモートコントローラは優先権移動手段を備え、上記皿洗いモード実行中に、この優先権移動手段で上記他の場所のリモートコントローラへの優先権の移動が行われた時に、上記制御手段は、この皿洗いモードから通常の給湯モードに移行することを特徴とする。
請求項４の発明は、請求項１〜３のいずれかに記載の給湯装置において、上記制御手段は、上記皿洗いモード指定信号を受けた後、フローセンサでの水流検出がなされずに所定時間経過した時には、上記皿洗いモード待機状態を解除することを特徴とする。
【０００７】
請求項５の発明は、熱交換部と、この熱交換部に燃焼熱を供給する燃焼部と、この燃焼部への燃料供給量を調節する燃料制御弁と、上記熱交換部を通る給湯配管と、この給湯配管に設けられた水量制御弁と、上記燃料制御弁と水量制御弁を制御する制御手段とを備えた給湯装置において、上記給湯配管が台所へ導かれ、この台所には温度設定手段と皿洗いモード指定手段とを有するリモートコントローラが設置され、上記制御手段は、この皿洗いモード指定手段による皿洗い指定状態で皿洗いモードを実行し、この皿洗いモードで、予め決められた皿洗いに適した所定流量，所定温度の出湯を実行するよう、上記水量制御弁と燃料制御弁とを制御し、皿洗い指定解除状態で上記温度設定手段で設定された温度に基づく通常の給湯モードを実行し、しかも上記制御手段は、皿洗いモード実行中に、皿洗いモード指定手段から指定解除信号を受けた時には、給湯が停止されるまで、上記所定流量を維持しながら上記温度設定手段で設定された温度の湯を供給することを特徴とする。
【０００８】
請求項６の発明は、熱交換部と、この熱交換部に燃焼熱を供給する燃焼部と、この燃焼部への燃料供給量を調節する燃料制御弁と、上記熱交換部を通る給湯配管と、この給湯配管に設けられた水量制御弁と、上記燃料制御弁と水量制御弁を制御する制御手段とを備えた給湯装置において、上記給湯配管が台所へ導かれ、この台所には温度設定手段と皿洗いモード指定手段とを有するリモートコントローラが設置され、上記制御手段は、この皿洗いモード指定手段による皿洗い指定状態で皿洗いモードを実行し、この皿洗いモードで、予め決められた皿洗いに適した所定流量，所定温度の出湯を実行するよう、上記水量制御弁と燃料制御弁とを制御し、皿洗い指定解除状態で上記温度設定手段で設定された温度に基づく通常の給湯モードを実行し、しかも上記制御手段は、最低燃焼熱量を設定しており、上記皿洗いモード実行の際に、上記皿洗いに適した所定流量，所定温度に維持すると最低燃焼熱量を下回る場合には、最低燃焼熱量またはそれに近い燃焼熱量になるように上記燃料制御弁を制御しながら、上記水量制御弁を制御して上記所定流量を上回る流量にすることにより、上記所定温度を維持することを特徴とする。
請求項７の発明は、熱交換部と、この熱交換部に燃焼熱を供給する燃焼部と、この燃焼部への燃料供給量を調節する燃料制御弁と、上記熱交換部を通る給湯配管と、この給湯配管に設けられたフローセンサおよび水量制御弁と、上記燃料制御弁と水量制御弁を制御する制御手段とを備えた給湯装置において、上記給湯配管が、台所への分岐路と、他の場所への分岐路とを有し、当該他の場所への分岐路にはフローセンサが設けられ、上記台所と他の場所には、それぞれ制御手段に設定温度情報を送るリモートコントローラが設置され、上記台所側のリモートコントローラは皿洗いモード指定手段を有しており、上記制御手段は、給湯停止状態で皿洗いモード指定手段からの指定信号を受けた時には、皿洗いモード待機状態に入り、その後フローセンサで水流を検出時に皿洗いモードを実行し、この皿洗いモードでは予め決められた皿洗いに適した所定流量，所定温度の湯を吐出するよう上記水量制御弁と燃料制御弁とを制御し、しかも、上記制御手段は、設定温度に基づく通常の給湯モード実行中に上記皿洗いモード指定信号を受けた時には、上記フローセンサの検出信号に基づいて当該他の場所への出湯がなされているか否かを判断し、肯定判断の時には皿洗いモードの実行を回避し、否定判断の時には皿洗いモードを実行することを特徴とする。
請求項８の発明は、熱交換部と、この熱交換部に燃焼熱を供給する燃焼部と、この燃焼部への燃料供給量を調節する燃料制御弁と、上記熱交換部を通る給湯配管と、この給湯配管に設けられたフローセンサおよび水量制御弁と、上記燃料制御弁と水量制御弁を制御する制御手段とを備えた給湯装置において、上記給湯配管が、台所への分岐路と、他の場所への分岐路とを有し、上記台所と他の場所には、それぞれ制御手段に設定温度情報を送るリモートコントローラが設置され、上記台所側のリモートコントローラは皿洗いモード指定手段を有し、上記他の場所のリモートコントローラは優先権移動手段を有しており、上記制御手段は、給湯停止状態で皿洗いモード指定手段からの指定信号を受けた時には、皿洗いモード待機状態に入り、その後フローセンサで水流を検出時に皿洗いモードを実行し、この皿洗いモードでは予め決められた皿洗いに適した所定流量，所定温度の湯を吐出するよう上記水量制御弁と燃料制御弁とを制御し、しかも、上記制御手段は、設定温度に基づく通常の給湯モード実行中に上記皿洗いモード指定信号を受けた時には、制御の優先権が台所側のリモートコントローラにあるか上記他の場所のリモートコントローラにあるかを判断し、上記他の場所のリモートコントローラにある場合には皿洗いモードの実行を回避し、台所側のリモートコントローラにある場合には皿洗いモードを実行することを特徴とする。
【０００９】
【発明の実施の形態】
以下、この発明の一実施形態について図面を参照して説明する。図１に示すようにガス給湯装置は、台所Ｄと浴室Ｙに湯を供給するためのものであり、缶の下部に収容されたガスバーナ１（燃焼部）と、缶の上部に収容された熱交換部２と、ガスバーナ１に燃焼空気を供給するためのファン（図示せず）と、を備えている。上記ガスバーナ１にガスを供給する手段は、ガス管３と、このガス管３に設けられた電磁開閉弁４および電磁比例弁５（燃料制御弁）とを有している。このガスバーナ１での最大燃焼熱量Ｇｍａｘは号数で表すと例えば１６号である。
【００１０】
上記熱交換部２には、給湯配管１０が通っている。この給湯配管１０は、上記熱交換部２を通る受熱管１１と、この受熱管１１の入口端に接続された給水管１２と、出口端に接続された給湯管１３とを有している。上記給水管１２には給水温度センサＴINと、フローセンサＦが設けられ、給湯管１３には出湯温度センサＴOUTと水量制御弁ＧＭが設けられている。
上記給湯管１３は台所Ｄまで延びる分岐管１３ａと、浴室Ｙまで延びる分岐管１３ｂとを有している。分岐管１３ａの末端には、レバー式給湯栓１４が設けられている。分岐管１３ｂには、給湯栓１５および切り替え弁（図示しない）を介して、カラン１６とシャワー１７が設けられている。
【００１１】
ガス給湯装置は、さらに、台所Ｄと浴室Ｙにそれぞれ設けられたリモートコントローラ５０，６０（以下、台所リモコン，浴室リモコンと称す）と、マイクロコンピュータ等を内蔵した制御ユニット７０（制御手段）とを備えている。制御ユニット７０は、上述した種々の検出手段、すなわち温度センサＴIN，ＴOUT，フローセンサＦと、リモコン６０，７０からの情報に基づいて、点火機構，ファン，開閉弁４，比例弁５，水量制御弁ＧＭ等を制御する。
【００１２】
上記台所リモコン５０は、皿洗いスイッチ５１（皿洗いモード指定手段）と、温度設定部５２（温度設定手段）と、設定温度等を表示する表示部５３と、皿洗いスイッチ５１のオン状態を点灯表示する発光ダイオード５４とを有している。上記皿洗いスイッチ５１は、押圧操作によりオン，オフの切り替えがなされ、オン状態は、皿洗いモード指定状態であり、オフ状態は皿洗いモード指定解除の状態である。
【００１３】
上記浴室リモコン６０は、優先スイッチ６１（優先権移動手段）と、温度設定部６２（温度設定手段）と、設定温度等を表示する表示部６３と、優先権が浴室Ｙにあることを点灯表示する発光ダイオード６４とを有している。上記優先スイッチ６１は、押圧操作によりオン，オフの切り替えがなされ、オン状態は、優先権が浴室リモコン６０にあることを意味し、オフ状態は優先権が台所リモコン５０にあることを意味する。
なお、上記リモコン５０，６０の運転スイッチは図示を省略する。
【００１４】
上記構成において、制御ユニット７０で実行される制御の概略を説明する。ユーザーが台所Ｄの給湯栓１４を開くと、給湯配管１０に水が流れ、この水流がフローセンサＦで検出される。制御ユニット７０は、この水流検出に応答して、点火機構およびファンを作動させる。これと同時期に、開閉弁４を開き、ガスをガスバーナ１に供給して燃焼を開始する。給水管１２からの水は受熱管１１を通る過程で燃焼熱を受けて湯となり、給湯管１３を経て給湯栓１４から吐出される。また、浴室Ｙの給湯栓１５を開いた場合にも同様にしてカラン１６またはシャワー１７から湯が吐出される。
【００１５】
上記制御ユニット７０は皿洗いスイッチ５１がオフ状態の時には、原則として通常の給湯モードを実行する。すなわち、給水温度センサＴINで検出された給水温度と、給湯設定温度Ｔｓと、フローセンサＦで検出された流量に基づいて、フィードフォワード出力分ＦＦを演算する。また、出湯温度センサＴOUTで検出された出湯温度と、給湯設定温度Ｔｓとの差に基づくＰＩＤ演算により、フィードバック出力分ＦＢを求める。次に、上記フィードフォワード出力分ＦＦにフィードバック出力分ＦＢとを加算して、比例弁５への供給電流（換言すれば燃焼熱量）を決定する。その結果、出湯温度センサＴOUTで検出される出湯温度を高精度で給湯設定温度Ｔｓにすることができる。
上記通常給湯モードにおいて、給湯設定温度Ｔｓは、リモコン５０，６０の温度設定部５２，６２のうち、優先権を有する方で変更可能である。
【００１６】
なお、通常給湯モードにおいて、寒冷時において給湯設定温度Ｔｓを高くして、給湯栓１４，１５の開度を大きくした場合等では、最大燃焼熱量Ｇｍａｘにしても出湯温度が給湯設定温度Ｔｓに達しない場合がある。この場合には、水量制御弁ＧＭを制御して出湯量を抑制し、出湯温度を給湯設定温度Ｔｓに維持する。制御ユニット７０は、燃焼を安定して行うために最低燃焼熱量Ｇｍｉｎを設定しており、それを下回る燃焼熱量での燃焼は禁じている。本実施形態では最低燃焼熱量Ｇｍｉｎは２.５号である。
【００１７】
台所リモコン５０の皿洗いスイッチ５１がオンされた時には、原則として皿洗いモード待機状態に入り、水流検出に応答して皿洗いモードを実行する。この皿洗いモードでは、皿洗いに適した所定の流量Ｑｘ（例えば５リットル／分。以下、皿洗い流量と称す）で、所定温度Ｔｘ（例えば３８°Ｃ。以下、皿洗い温度と称す）になるように水量制御弁ＧＭと比例弁５とを制御する。詳述すると、フローセンサＦで検出される流量が皿洗い流量Ｑｘになるように、水量制御弁５２のギアモータを制御してその開度を調節する。給水圧等に変動がない限り、水量制御弁５２は小さな所定開度で実質的に固定されることになる。そして、この皿洗い流量Ｑｘでの出湯状態で、上記皿洗い温度Ｔｘとなるように、比例弁５を制御する。
【００１８】
本実施形態では、原則として皿洗いスイッチ３１のオン，オフ操作に通常給湯モード，皿洗いモードを対応させているが、厳密には対応させず、融通性を持たせている。以下、制御ユニット７０で実行されるルーチンについて、図３〜図６のフローチャートを参照しながら説明する。
なお、図３〜図５は、主に給湯の目標となる流量，温度を決定するためのルーチンであり、図６は、決定された目標流量と目標温度に基づく実際の流量制御，燃焼制御のためのルーチンである。
【００１９】
まず、図３〜図５のルーチンについて説明する。運転スイッチがオンされると、制御ユニット７０は、図３のステップ１０１で、給湯中か否か、すなわち給湯配管１０内の水流がフローセンサＦで検出されていて燃焼が実行されている状態にあるか否かを判断する。ここで否定判断した時には、皿洗いスイッチ５１がオフからオンに切り替わったか否かを判断する（ステップ１０２）。ここで否定判断した時にはステップ１０１に戻る。このように、給湯が開始されるか皿洗いスイッチ５１がオンされるまで、待機している状態となる。
【００２０】
給湯栓１４，１５の少なくともいずれかが開いて給湯が実行された時には、ステップ１０１で肯定判断してステップ１０３に進み、ここで皿洗いスイッチ５１がオフからオンに切り替わったか否かを判断する。ここで否定判断した時には、ステップ１０４に進み、ここで給湯が停止されたか否か、すなわち給湯配管１０内の水流が検出されず燃焼が停止されている状態になったか否か、を判断する。ここで否定判断した時にはステップ１０３に戻る。したがって、給湯実行中は、このステップ１０３，１０４を繰り返す。ここでは、皿洗いスイッチ５１はオフ状態にあり、原則的に通常の給湯モードが実行される。
なお、上記ステップ１０１，１０４での判断は、単に給湯配管１０の水流検出の有無の判断に置き換えてもよい。
【００２１】
上記給湯実行中に、皿洗いスイッチ５１がオフからオンに切り替わった時には、ステップ１０３で肯定判断し、皿洗いスイッチ５１をオフ状態に戻してから（ステップ１０５）、皿洗い要求フラグをセットし（ステップ１０６）、ステップ１０４に進む。このように、給湯実行中に皿洗いスイッチ５１をオンしても、皿洗いモードを実行せず、単に皿洗い要求フラグをセットするだけである。この皿洗い要求フラグは、後述する「皿洗い可能（皿洗いモード指定可能）」の報知に関するものである。
【００２２】
すべての給湯栓１４，１５が閉じられた状態となって給湯が停止されると、ステップ１０４で肯定判断してステップ１０７に進み、ここで皿洗い要求フラグがセットされているか否かを判断する。肯定判断の場合には、皿洗い要求フラグをクリアして（ステップ１０８）、台所リモコン５０に「皿洗い可能」の報知をさせてから（ステップ１０９）、ステップ１１０に進む。この報知は、ブザーによって行ってもよいし、表示部５３に表示してもよい。これにより、ユーザーは、再度の皿洗いスイッチ５１のオン操作により皿洗いモードを指定できることを、知ることができる。
【００２３】
上記ステップ１０７で否定判断した時には、ステップ１０８，１０９をパスしてステップ１１０に進む。このステップ１１０では、皿洗い流量Ｑｘが指示されている状態か否かを判断する。ここで肯定判断した場合には、ステップ１１１に進み、ここで皿洗い流量Ｑｘの指示状態を解除して、ステップ１０１に戻る。また、ステップ１１０で否定判断した場合にはステップ１１１をパスしてステップ１０１に戻る。通常の給湯モードを実行してきた場合には、ステップ１１０で否定判断するが、後述する変則的な制御が行われてきた場合には、ここで肯定判断する。
【００２４】
給湯停止状態において、皿洗いスイッチ５１がオンされた時には、ステップ１０２で肯定判断して、図４のステップ１２０に進む。ここでは、制御の優先権が台所リモコン５０にあるか否かを判断する。否定判断の時にはステップ１２１で優先権を台所リモコン５０に移動するとともに優先権移動フラグをセットして、ステップ１２２に進む。肯定判断の時にはステップ１２１をパスしてステップ１２２に進む。なお、この優先権移動フラグは、浴室リモコン６０にあった優先権を、皿洗いスイッチ５１がオンに応答して強制的に台所リモコン５０に移したことを示すものである。
【００２５】
上記ステップ１２２では、給湯の目標温度を温度設定部５２または６２で設定される給湯設定温度Ｔｓから所定の皿洗い温度Ｔｘに変更するとともに、タイマーをスタートさせる。次に、給湯か否か（または水流を検出したか否か）を判断する（ステップ１２３）。ここで、否定判断した時には、タイマー計測時間が所定時間例えば５分を経過したか否かを判断する（ステップ１２４）。ここで否定判断した時には、ステップ１２３に戻る。このように、５分間は給湯開始を待っている。換言すれば、皿洗いモード待機状態にある。
【００２６】
５分待たないうちに、給湯が開始された時には、ステップ１２３で肯定判断して、タイマーをクリアし（ステップ１２５）、皿洗い流量Ｑｘを指示する（ステップ１２６）。これにより、この皿洗い流量Ｑｘと、上記ステップ１２２で指定された皿洗い温度Ｔｘに基づく皿洗いモードが実行される。
【００２７】
次に、浴室リモコン６０の優先スイッチ６１により、優先権の切り替えがなされたか否かを判断する（ステップ１２７）。ここで否定判断した時には、皿洗いスイッチ５１がオンからオフに切り替わったか否かを判断する（ステップ１２８）。ここで否定判断した時、すなわち皿洗いスイッチ５１がオン状態のまま維持されていると判断した時にはステップ１２３に戻る。
【００２８】
上記のように皿洗いモードで給湯が継続している状態では、原則的にステップ１２３〜１２８が繰り返し実行される。この皿洗いモードでの給湯は、給湯栓１５が閉じられてステップ１２３で否定されることにより、終了する。以後、再び１２３，１２４が繰り返され上述した皿洗いモード待機の状態になる。
【００２９】
制御は、優先スイッチ６１の操作による優先権の切り替えか皿洗いスイッチ５１のオフ操作に応答して、上記皿洗いモードでの給湯状態から抜け出る。以下、詳述する。
上記ステップ１２７で、優先権切り替えが行われたと判断した時には、上記皿洗いモードを抜け、図５のステップ１３０に進んで、皿洗いスイッチ５１をオフする。次に、優先権移動フラグがセットされているか否かを判断する（ステップ１３１）。ここで肯定判断した場合、上記皿洗いスイッチ５１のオンにより強制的に浴室優先から台所優先にされたと判断した場合には、優先権を浴室に戻し、優先権移動フラグをクリアし（ステップ１３２）、ステップ１３３に進む。ステップ１３１で否定判断した時に、すなわち、台所優先状態で皿洗いスイッチ５１がオンされて皿洗いモードを実行してきたと判断した時には、ステップ１３２をパスしてステップ１３３に進む。このパスにより、優先権をそのまま台所リモコン５０に残しておくのである。
【００３０】
上記ステップ１３３では、目標温度を、皿洗い温度Ｔｘから、優先権を有するリモコンで設定された給湯設定温度Ｔｓに変更する。次に、皿洗い流量Ｑｘの指示を解除する（ステップ１３４）。このようにして、通常の給湯モードに戻る。その結果、浴室Ｙでカラン１６やシャワー１７を用いる場合に、十分な流量の所望温度の湯を得ることができる。
【００３１】
図４のステップ１２８で皿洗いスイッチ５１がオフになったと判断した時も、皿洗いモードを抜け、前述のステップ１３０〜１３４と同様のステップ１３０’〜１３４’を実行する。ただし、ステップ１３３’とステップ１３４’との間に給湯か否か（水流検出しているか否か）を判断し（ステップ１３５）、肯定判断の時にはステップ１３４’をパスしてステップ１０１へ戻る。すなわち、皿洗い流量Ｑｘを維持したまま、目標温度だけを給湯設定温度Ｔｓに変更した変則制御モードにする。上記皿洗いモードでの給湯を実行中に皿洗いスイッチ５１をオフ操作した時には、ステップ１３５で肯定判断され、皿洗い流量Ｑｘが維持される。給湯栓１４が全開状態で皿洗いモードが実行されている時に、少量の皿洗い流量Ｑｘから急激に出湯量が増大すると、湯が皿等に当たって飛び散るおそれがあるが、それを上記変則制御モードで防止することができる。
【００３２】
上記のような皿洗い流量Ｑｘと給湯設定温度Ｔｓでの変則的な制御は、給湯停止により終了する。すなわち、図３のステップ１０４で肯定判断した後、前述したようにステップ１１０で肯定判断し、ステップ１１１で皿洗い流量Ｑｘの指定状態を解除する。その結果、通常の給湯モードの準備態勢にすることができる。
【００３３】
前述した皿洗いモードの待機状態で５分経過した時には、図４のステップ１２４で肯定判断して皿洗いモード待機状態を抜け出し、上記ステップ１３０’〜１３３’に進む。この場合には、ステップ１３５で否定判断されるため、ステップ１３４’で皿洗い流量Ｑｘの指定が解除され、以後は通常給湯モード実行の準備態勢となる。このようにするため、ユーザーが皿洗いスイッチ５１のオフ操作を忘れても、通常給湯モードの実行に支障がない。
【００３４】
次に、流量制御，燃焼制御のためのルーチンを図６のフローチャートを参照しながら説明する。
まず、ステップ２０１で給湯配管１０での水流が検出されたか否かを判断する。肯定判断した時には、ステップ２０２で皿洗い温度Ｔｘが指定されているか否かを判断する。ここで否定判断した場合には、ステップ２０３で皿洗い流量Ｑｘが指定されているか否かを判断する。ここでも否定判断した場合、ステップ２０４に進んで前述した通常の給湯モードを実行する。
【００３５】
上記ステップ２０３で皿洗い流量Ｑｘの指定有りと判断した時には、ステップ２０５に進み、変則的な制御モードを実行する。これは、前述したように、皿洗いモード実行中に誤って皿洗いスイッチ５１をオフにした時に得られる状況であり、皿洗い流量Ｑｘを維持し、出湯温度を給湯設定温度Ｔｓに維持する。
【００３６】
上記ステップ２０２で皿洗い温度Ｔｘの指定ありと判断した時には、ステップ２０６で、前述したフィードフォワード演算により、燃焼熱量（またはこの燃焼熱量に対応する比例弁電流値）を演算する。次のステップ２０７で、この演算された燃焼熱量が最低燃焼熱量Ｇｍｉｎ未満か否か（または演算された比例弁電流値がＧｍｉｎに対応する比例弁電流値未満か否か）を判断する。ここで否定判断した時には、前述した皿洗いモードを実行する（ステップ２０８）。ここで肯定判断した時には、燃焼を停止するのではなく、最低燃焼熱量Ｇｍｉｎに維持するように比例弁電流値を最低限に維持し、皿洗い温度Ｔｘを維持するために水量制御弁ＧＭの開度を制御する（ステップ２０９）。その結果、出湯量は皿洗い流量Ｑｘより、多くなる。換言すれば、手荒れを防ぐために皿洗い温度Ｔｘ維持を優先し、燃焼停止を回避するため皿洗い流量Ｑｘの維持をあきらめて出湯量を多くするのである。なお、このステップ２０９で、最低燃焼熱量Ｇｍｉｎより若干大きい熱量を維持するように比例弁５を制御してもよい。
【００３７】
本発明は上記実施形態に制約されず、種々の形態を採用可能である。
上記実施形態では、給湯中に皿洗いスイッチ５１をオンにした場合には、無条件で皿洗いモードへの突入を回避したが、所定の条件を満たす時には、回避し所定の条件を満たさない時には皿洗いモードへ突入するようにしてもよい。例えば、給湯管１３の分岐路１３ｂにフローセンサがある場合には、図３ステップ１０３の肯定判断の後に、浴室へ出湯がなされているか否かをこのフローセンサでの検出信号に基づいて判断し、肯定判断の時にはステップ１０５に進んで皿洗いモードへの突入を回避し、否定判断の時（台所でのみ出湯がなされていると判断した時）にはステップ１２２に進んで皿洗いモードを実行するようにしてもよい。
【００３８】
また、上記所定条件の他の態様として、ステップ１０３で肯定判断した時には、台所優先か否かを判断し、台所優先の場合には、ステップ１２２に進み、浴室優先の場合にはステップ１０５に進むようにしてもよい。浴室優先であれば、浴室での出湯の可能性が高いため、皿洗いモードへの突入を回避し、台所優先であれば台所での出湯の可能性が高いため、皿洗いモードへ突入するのである。
【００３９】
図４のステップ１２４で否定判断した時に、ステップ１２７，１２８と同様のステップを実行し、これらステップで否定判断をしてからステップ１２３に戻ってもよい。この場合、優先スイッチ６１の優先権切り替え操作ありと判断した時には、皿洗いモード待機状態から抜け出て、図５のステップ１３０に進み、通常制御モード準備状態に戻る。また皿洗いスイッチ５１のオフ操作ありと判断した時にも、皿洗いモード待機状態から抜け出て、図５のステップ１３０に進み、通常制御モード準備状態に戻る。
【００４０】
給湯配管の分岐管を浴槽湯張のために浴槽に導いてもよい。
給湯配管の分岐管を浴室の代わりに洗面所へ導いてもよい。
本発明は追焚機能付きガス給湯装置に適用してもよい。。
【００４１】
【発明の効果】
以上説明したように、請求項１の発明によれば、給湯配管の水流を検出していない状態で皿洗いモード指定信号を受けた場合には、皿洗いモード待機状態になるが、給湯配管の水流を検出している状態で皿洗いモード指定信号を受けた場合には、無条件でまたは所定の条件下で、皿洗いモードの実行を回避するため、他の場所での給湯中に流量が激減するような不都合を無くすことができる。
請求項２の発明によれば、皿洗いモード指定手段で指定したにも拘わらず皿洗いモードを実行しない場合でも、給湯停止後に台所リモコンに皿洗いモード指定可能であることを報知させることにより、ユーザーへの便宜を図ることができる。
請求項３の発明によれば、優先権を移動した時に皿洗いモードを終了させることにより、他の場所での十分な量の出湯が可能となる。
請求項４の発明によれば、皿洗いモードの指定解除を忘れても、所定時間後には通常の給湯モードを実行可能な状態に戻ることができる。
請求項５の発明によれば、皿洗いモード実行中に皿洗いモードの指定を解除しても、出湯量が急激に増大しないので、湯が飛び散るような不都合を防止できる。
請求項６の発明によれば、皿洗いモードにおいて、皿洗いに適した所定流量，所定温度を維持しようとすると最低燃焼熱量を下回る場合には、燃焼停止にせず、出湯量を増やすことにより、所定温度での給湯を実行することができる。
【図面の簡単な説明】
【図１】本発明の一実施形態をなすガス給湯装置の概略図である。
【図２】（Ａ）は台所リモコンの概略図、（Ｂ）は浴室リモコンの概略図である。
【図３】同給湯装置の制御ユニットで実行される流量，温度指定のためのルーチンの前段部分を示すフローチャートである。
【図４】同制御ルーチンの中間部分を示すフローチャートである。
【図５】同制御ルーチンの後段部分を示すフローセンサである。
【図６】上記ルーチンで指定された流量，温度に基づいて燃焼，流量を制御するルーチンを示すフローチャートである。
【符号の説明】
１  ガスバーナ（燃焼部）
２  熱交換部
５  比例弁（燃料制御弁）
１０  給湯配管
１３ａ，１３ｂ  分岐管（分岐路）
５０  台所リモコン
５１  皿洗いスイッチ（皿洗いモード指定手段）
５２  温度設定部（温度設定手段）
６０  浴室リモコン
６１  優先スイッチ（優先権移動手段）
６２  温度設定部（温度設定手段）
７０  制御ユニット（制御手段）
Ｄ    台所
Ｙ    浴室
ＧＭ  水量制御弁
Ｆ    フローセンサ
ＴOUT  出湯温度センサ
【図１】
0003922815.tif 000002
【図２】
0003922815.tif 000003
【図３】
0003922815.tif 000004
【図４】
0003922815.tif 000005
【図５】
0003922815.tif 000006
【図６】
0003922815.tif 000007